(57)【要約】    【課題】  ピアノ線等の不正具が遊技釘に引っ掛からないようにして遊技釘の曲げ等の不正行為を容易に防止できるようにする。    【解決手段】  遊技盤１１に入賞手段２０〜２２等の遊技部品の他に多数の遊技釘２３を設ける。遊技釘２３は遊技盤１１から突出する円柱状の軸部２５と、この軸部２５の前端部の遊技球Ｂと接触しない位置に設けられた頭部２７とを有し、頭部２７と軸部２５との間に、軸部２５に掛けられた不正具を頭部２７へと案内して離脱させる離脱案内部２９を備えている。【選択図】    図５
2008194141.tif 000002
【特許請求の範囲】
【請求項１】
遊技盤（１１）に入賞手段（２０）〜（２２）等の遊技部品の他に多数の遊技釘（２３）を設けた弾球遊技機において、前記遊技釘（２３）は前記遊技盤（１１）から突出する円柱状の軸部（２５）と、該軸部（２５）の前端部の遊技球（Ｂ）と接触しない位置に設けられた頭部（２７）とを有し、前記頭部（２７）と前記軸部（２５）との間に、前記軸部（２５）に掛けられた不正具を前記頭部（２７）へと案内して離脱させる離脱案内部（２９）を備えたことを特徴とする弾球遊技機。
【請求項２】
前記頭部（２７）は前記軸部（２５）よりも大径であり、前記離脱案内部（２９）は前記頭部（２７）から前記軸部（２５）側へと細くなる形状であることを特徴とする請求項１に記載の弾球遊技機。
【請求項３】
前記離脱案内部（２９）はテーパー状であることを特徴とする請求項２に記載の弾球遊技機。
【請求項４】
前記頭部（２７）、前記離脱案内部（２９）は前記軸部（２５）と略同径であることを特徴とする請求項１に記載の弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機では、遊技盤に装着されたガイドレールの内側が遊技領域となっている。そして、遊技領域にはその中央部に液晶式等の画像表示手段が、画像表示手段の下方側等の適当位置に普通入賞手段、大入賞手段等の各種の入賞手段が夫々配置され、また画像表示手段と各種の入賞手段との間の隙間部分に、遊技球を所定方向に案内し又は遊技球の落下方向に変化を与えるための多数の遊技釘が配置されている。
【０００３】
遊技釘は、円柱状の軸部と、この軸部の前端に一体に設けられた頭部とを備えている。頭部は軸部の直径の２倍余りの大径であって、その前面側が球面となり、裏面側が軸部に対して略直角な平坦面となっている（特許文献１）。
【特許文献１】特開２０００−１１６８６１号公報
【発明の開示】
【発明が解決しようとする課題】
【０００４】
各入賞手段の上側近傍には、その左右両側に命釘と云われる遊技釘が配置されており、この命釘の間隔の大小がその入賞手段に遊技球が入賞するか否かに大きく関係し、命釘間の間隔が広くなれば、それだけ遊技球が入賞し易くなる。一方、従来の遊技釘は、頭部が軸部の直径に比して非常に大径である上に、その頭部の裏面側が平坦面となっており、遊技釘に何等かのものが引っ掛かった場合には外れ難い構造である。
【０００５】
このため従来のパチンコ機では、前枠とガラス扉との間を経て遊技盤の外周側から遊技領域内にピアノ線を挿入し、そのピアノ線の先端を遊技釘の軸部に引っ掛けて引っ張りながら、入賞手段の上側の一対の命釘間の間隔を広げる等の不正行為が行われる惧れがあった。
【０００６】
本発明は、このような問題点に鑑み、ピアノ線等の不正具が遊技釘に引っ掛からないようにして遊技釘の曲げ等の不正行為を容易に防止できる弾球遊技機を提供することを目的とする。
【課題を解決するための手段】
【０００７】
本発明は、遊技盤１１に入賞手段２０〜２２等の遊技部品の他に多数の遊技釘２３を設けた弾球遊技機において、前記遊技釘２３は前記遊技盤１１から突出する円柱状の軸部２５と、該軸部２５の前端部の遊技球Ｂと接触しない位置に設けられた頭部２７とを有し、前記頭部２７と前記軸部２５との間に、前記軸部２５に掛けられた不正具を前記頭部２７へと案内して離脱させる離脱案内部２９を備えたものである。
【発明の効果】
【０００８】
本発明では、ピアノ線等の不正具が遊技釘に引っ掛からないようにでき、遊技釘の曲げ等の不正行為を容易に防止できる。
【発明を実施するための最良の形態】
【０００９】
以下、本発明の実施例を図面に基づいて詳述する。図１〜図５は本発明をパチンコ機に採用した第１の実施例を例示する。図１において、１は遊技機本体で、矩形状の外枠２の前側に、上下一対のヒンジ３を介して前枠４が開閉自在に枢着されている。５はガラス扉、６は前面開閉板で、これらは前枠４の前面に上下に配置され、前枠４に開閉自在に枢支されている。
【００１０】
７は発射用の遊技球を貯留する上皿で、前面開閉板６の前側に装着され、上皿カバー８により覆われている。９は余剰球等を貯留する下皿、１０は灰皿で、これらは前面開閉板６の下側で前枠４の前側に左右に配置されている。１１は遊技盤で、ガラス扉５の裏側で前枠４に着脱自在に装着されている。
【００１１】
１２は発射手段で、下皿９の一側で前枠４の前側に装着された発射ハンドル１３を操作することにより作動して、発射レール（図示省略）上に１個ずつ供給される遊技球を遊技盤１１側へと発射させるようになっている。
【００１２】
遊技盤１１の前側には、発射手段１２により発射された遊技球を案内するガイドレール１４が環状に装着されると共に、そのガイドレール１４の内側の遊技領域１５に画像表示手段１６、特別図柄始動手段１７、大入賞手段１８、普通図柄始動手段１９、入賞手段２０〜２２等の各種の遊技部品が配置されている。
【００１３】
また遊技盤１１の遊技領域１５には、図２〜図４に普通入賞手段２１の上側の命釘を例示するように、画像表示手段１６、特別図柄始動手段１７、入賞手段２０〜２２以外の隙間部分に、遊技球を案内する多数の遊技釘２３が配列されている。なお、図２〜図４では、多数の遊技釘２３のうち命釘のみを示し、他の遊技釘は省略している。
【００１４】
画像表示手段１６は特別図柄表示手段２４を構成するもので、遊技領域１５の略中央に配置され、その下側に特別図柄始動手段１７と大入賞手段１８とが上下に配置されている。画像表示手段１６の左右両側に普通図柄始動手段１９が配置されている。特別図柄始動手段１７の左右両側に普通入賞手段２０が配置され、また大入賞手段１８の左右両側に普通入賞手段２１，２２が配置されている。
【００１５】
特別図柄始動手段１７は遊技球の検出により特別図柄表示手段２４の図柄を変動させるためのものであり、入賞手段としても機能する。画像表示手段１６、図柄始動手段１７，１９、入賞手段２０〜２２、遊技釘２３の前側には、図３、図４に示すようにガラス扉５のガラス板５ａが近接して配置されている。
【００１６】
多数の遊技釘２３の全て、又は図柄始動手段１７，１９、入賞手段２０〜２２等の上側近傍に配置された左右一対の命釘に使用する遊技釘２３は、次のように構成されている。即ち、遊技釘２３は図３〜図５に示すように、遊技盤１１から前方に突出する円柱状の軸部２５と、軸部２５の後端側に形成された先鋭部２６と、軸部２５の前端で遊技球Ｂと接触しない位置に一体に設けられた頭部２７とを有し、後端側の先鋭部２６が遊技盤１１に打ち込まれている。
【００１７】
頭部２７は軸部２５よりも若干大径であって、前端面が前側に突出する球面２８になっている。そして、頭部２７と軸部２５との間には、ピアノ線等の不正具の引っ掛けを阻止する離脱案内部２９が設けられている。離脱案内部２９は軸部２５側の不正具を頭部２７へと案内して離脱させるためのものであり、頭部２７から軸部２５側へと細くなる形状、取り分けテーパー状に形成されている。
【００１８】
頭部２７の直径、離脱案内部２９のテーパー角αは、遊技釘２３の前側にピアノ線３０等の不正具を掛けて遊技盤１１に沿う方向に引っ張るか又は押して軸部２５がその弾性により撓んだ場合に、その不正具が軸部２５の撓みに沿って離脱案内部２９側へと滑った後、その離脱案内部２９を経て頭部２７を乗り超えて外れることを条件に決定されている。頭部２７、離脱案内部２９の形状、大きさは、図５に示すように遊技球Ｂがガラス板５ａ、遊技釘２３に接触した場合にも、頭部２７、離脱案内部２９が遊技球Ｂに接触しないようになっている。
【００１９】
多数の遊技釘２３が配列された釘配列中の、遊技球を案内する上で重要な箇所の遊技釘２３、及び入賞手段２０〜２２等の上側の命釘等に、上記のような構成の遊技釘２３を使用すれば、不正具の使用による遊技釘２３の曲げ等を極力防止できる。
【００２０】
例えば、図２、図４に示すように遊技領域１５内へとピアノ線３０を挿入して、その先端部を普通入賞手段２１の上側の命釘に掛けて側方へと引っ張ったものと仮定する。この場合、ピアノ線３０を引っ張れば、遊技釘２３の遊技盤１１から前側に突出する軸部２５がその弾性により引っ張り方向へと撓む。このため遊技釘２３の軸部２５に掛かったピアノ線３０は、軸部２５の撓みに沿って離脱案内部２９側へと滑った後、そのテーパー状の離脱案内部２９に案内されて頭部２７を乗り越えて遊技釘２３から外れる。
【００２１】
従って、遊技釘２３にピアノ線３０等の不正具を掛けて軸部２５を一時的に撓ませることはできても、遊技盤１１の前面近傍を屈曲点に遊技釘２３の軸部２５を曲げることは困難であり、左右一対の遊技釘２３間の間隔を広げる等の不正行為を極力防止できる。
【００２２】
しかも、離脱案内部２９を経て頭部２７からピアノ線３０を容易に外すことができる。何故なら通常、遊技盤１１の前面には遊技領域１５を取り囲むようにガイドレール１４、飾り部材等が装着されており、これらの裏側を経て遊技領域１５へとピアノ線３０を挿入した後、その遊技領域１５にある遊技釘２３に前側からピアノ線３０を掛ける等は殆ど不可能である。
【００２３】
従って、ピアノ線３０を挿入するとすれば、その多くの場合にガイドレール１４等の前側を経て遊技領域１５へとピアノ線３０を挿入し、そのピアノ線３０を前側から遊技釘２３に掛けることになる。このためピアノ線３０を遊技釘２３に掛けて引っ張れば、その引っ張り方向が図４に示すように前側方となるため、遊技釘２３の僅かな撓みによってピアノ線３０が離脱案内部２９を経て頭部２７を乗り越え、ピアノ線３０は遊技釘２３から簡単に外れる。
【００２４】
また頭部２７は勿論のこと、頭部２７と軸部２５との間の離脱案内部２９も、遊技球Ｂと干渉しない位置、大きさになっているので、頭部２７の軸部２５側に離脱案内部２９があるにも拘わらず、その離脱案内部２９が遊技釘２３の機能に支障を来すようなこともない。
【００２５】
釘調整の際には、図５に示すように凹部３３ａを有する球体３３を棒３２の両端に備えたゲージ棒３５を使用し、その一方の球体３３の凹部３３ａに頭部２７の球面２８に合わせて、槌等の打撃具で他方の球体３３を打撃しながら行う。この場合にも、頭部２７の前面は球面２８になっているので、従来の遊技釘２３と同様に釘調整が可能である。
【００２６】
図６は本発明の第２の実施例を例示する。この遊技釘２３では、離脱案内部２９は頭部２７から軸部２５側へと細くなる形状であるが、テーパー状の第１の実施例とは異なり曲面状に形成されている。
【００２７】
このように離脱案内部２９は曲面状であっても、頭部２７から軸部２５側へと細くなる形状である限り、第１の実施例と同様の効果を得ることが可能である。他の構成は、第１の実施例と同じである。なお、この実施例では、離脱案内部２９の両端間を結ぶ線分に対して中間部分が外側に膨らむ曲面状としているが、中間部分が内側に凹入する形状でもよい。
【００２８】
図７は本発明の第３の実施例を例示する。この遊技釘２３では、頭部２７は軸部２５の直径の２倍よりも若干小さい程度の大きさとし、その頭部２７と軸部２５との間に離脱案内部２９を設けている。離脱案内部２９はテーパー状であるが、そのテーパー角αは第１の実施例に比較して大きくなっている。他の構成は、第１の実施例と同じである。このように頭部２７の直径が多少大きくなっても、遊技釘２３の撓み等で不正具が外れる形状であれば十分である。
【００２９】
図８は本発明の第４の実施例を例示する。この遊技釘２３の離脱案内部２９は、前側に円筒案内面２９ａを、その後側にテーパー案内面２９ｂを有する。他の構成は、第１の実施例と同じである。この場合には、頭部２７を大きな塊状に構成できるので、釘調整等での頭部２７側の損傷を少なくできる。
【００３０】
図９は本発明の第５の実施例を例示する。この遊技釘２３では、頭部２７を軸部２５と同径とし、この頭部２７と軸部２５との間の離脱案内部２９を直円筒面状にしたものである。他の構成は、第１の実施例と同じである。このようにすれば、軸部２５から頭部２７にかけての外周面が同径の平滑状であるため、ピアノ線３０等を益々外れ易くすることができる。なお、頭部２７は軸部２５と同一径の他、軸部２５よりも若干大きいか小さい程度の略同径にしてもよい。
【００３１】
以上、各実施例について詳述したが、本発明は各実施例に限定されるものではなく、その趣旨を逸脱しない範囲で種々の変更が可能である。例えば、頭部２７の前面は、球面状であることが望ましいが、釘調整が可能な形状であれば、球面状以外の形状でもよい。
【００３２】
また離脱案内部２９付きの遊技釘２３は遊技領域１５の全体に使用してもよいし、入賞手段２０〜２２等の上側近傍の命釘等の不正行為を受け易い箇所、及びその周辺部分に重点的に使用してもよい。入賞手段２０〜２２の上側近傍の命釘の他、遊技球の通過を検出する検出手段、例えば普通図柄始動手段１９の上側近傍に配置された命釘等に採用してもよい。更にパチンコ機以外のアレンジボール機、雀球遊技機等でも同様に実施可能である。
【図面の簡単な説明】
【００３３】
【図１】本発明の第１の実施例を示すパチンコ機の正面図である。
【図２】同遊技盤の要部の拡大正面図である。
【図３】同遊技盤の要部の拡大縦断面図である。
【図４】同遊技盤の要部の拡大横断面図である。
【図５】同遊技釘の拡大図である。
【図６】本発明の第２の実施例を示す遊技釘の拡大図である。
【図７】本発明の第３の実施例を示す遊技釘の拡大図である。
【図８】本発明の第４の実施例を示す遊技釘の拡大図である。
【図９】本発明の第５の実施例を示す遊技釘の拡大図である。
【符号の説明】
【００３４】
１１  遊技盤
２０〜２２  普通入賞手段
２３  遊技釘
２５  軸部
２７  頭部
２９  離脱案内部
【図１】
2008194141.tif 000003
【図２】
2008194141.tif 000004
【図３】
2008194141.tif 000005
【図４】
2008194141.tif 000006
【図５】
2008194141.tif 000007
【図６】
2008194141.tif 000008
【図７】
2008194141.tif 000009
【図８】
2008194141.tif 000010
【図９】
2008194141.tif 000011